(57)【要約】【課題】サムターン回しを防止し、サムターン自体の向きで施錠又は解錠状態の判別が確実に認識でき、サムターンの非空転と空転状態との切り替え操作もキー溝にキーを差し込んで押すだけでよい。更に合鍵Ｋが不用意に抜き取られないサムターンを提供すること。【解決手段】  サムターン軸５０に係合凹部５１を内筒２０に係合部２３を形成し、キー溝２１に合鍵Ｋを差し込んでサムターン軸５０方向へ押し込むことで、係合部２３が係合凹部５１に係合され、内筒２０を回動することでサムターン軸５０が一体に回動し錠杆３を出没し施解錠される。 内筒２０の押し込み時に内筒２０を施錠方向へ回動することで、合鍵Ｋを内筒２０のキー溝２１より抜き取ることで、内筒２０の係合部２３が係合凹部５１より係合解除されて、サムターン１０が空転さる。更にストッパーボタン９０を押さない限り、合鍵Ｋが抜き取れない構成としてある。【選択図】        図３０
2006249898.tif 000002
【特許請求の範囲】
【請求項１】
キー溝を有する内筒と、内筒を嵌装した外筒と、前記内筒と外筒とを空室内に収容したサムターンピースと、内筒の回動により錠杆を突出又は後退させて施錠又は解錠するように前記内筒の回動力を該錠杆に伝達するためのサムターン軸とを少なくとも備えてなるサムターンにおいて、
前記サムターン軸の前端部には係合凹部を形成するとともに、前記内筒の後端部には上記係合凹部に係脱自在に係合される係合部を形成し、
前記内筒のキー溝に合鍵を差し込んで該内筒をサムターン軸方向へ押し込むことにより、内筒が後方へ移動して内筒の係合部がサムターン軸の係合凹部に係合されて、内筒を回動することによりサムターン軸が一体に回動して錠杆を出没して施解錠され、
前記内筒の押し込み時に該内筒を施錠方向へ回動することにより錠杆を突出させた施錠状態において、前記合鍵を内筒のキー溝より抜き取ることにより、内筒が前方へ移動して内筒の係合部がサムターン軸の係合凹部より係合解除されて、サムターン軸は回動できないとともに、サムターンは空転されるように構成してあることを特徴とするサムターン。
【請求項２】
前記外筒の側壁には、該外筒の内筒嵌挿穴を臨み、かつその外筒の軸方向に交差するガイド孔を形成し、このガイド孔にはバネにより常時は内筒嵌挿穴方向へ付勢された位置決め部材を嵌装してあるとともに、
前記合鍵には、該合鍵を内筒のキー溝に差し込んで内筒をサムターン軸方向へ押し込んだ場合に、前記位置決め部材が係合する切欠き部を形成してある請求項１に記載のサムターン。
【請求項３】
前記サムターンピースの後部には、内筒と同軸心上にサムターン軸嵌挿穴を形成したサムターンカバーを設けて、サムターンピースの空室を被覆するとともに、該サムターンカバーのサムターン軸嵌挿穴にはサムターン軸を嵌挿して同サムターン軸をサムターンカバーに連結してある請求項１または２に記載のサムターン。
【請求項４】
キー溝を有する内筒と、内筒を嵌装した外筒と、前記内筒と外筒とを空室内に収容したサムターンピースと、内筒の回動により錠杆を突出又は後退させて施錠又は解錠するように前記内筒の回動力を該錠杆に伝達するためのサムターン軸とを少なくとも備えてなるサムターンにおいて、
前記サムターン軸の前端部には係合凹部を形成するとともに、前記内筒の後端部には上記係合凹部に係脱自在に係合される係合部を形成し、
前記内筒のキー溝に合鍵を差し込んで該内筒をサムターン軸方向へ押し込むことにより、内筒が後方へ移動して内筒の係合部がサムターン軸の係合凹部に係合されて、内筒を回動することによりサムターン軸が一体に回動して錠杆を出没して施解錠され、
一方、サムターンピースと外筒にはストッパーボタン嵌挿用のガイド穴を形成し、このガイド穴に前記ストッパーボタンを移動可能に嵌挿するとともに、
前記ストッパーボタンの一面には凹部を形成するとともに、後部にはバネを設けて、このバネにより該ストッパーボタンは常時には前方へ突出するように付勢してあり、
前記内筒と合鍵との下面にはそれぞれ切欠き部を形成してあり、合鍵の押し込みにより内筒とサムターン軸が係合されて錠杆を出没して施解錠操作可能状態時において、前記内筒の切欠き部と合鍵の切欠き部とは位置が合致して、この両切欠き部に係止部材が係合するとともに、前記ストッパーボタンは前記バネの付勢力によりサムターンの前方へ突出して、ストッパーボタンの凹部と係止部材との係合が解除されるように設けてあり、
上記施解錠操作可能状態時において、前記ストッパーボタンを押すことにより、前記係止部材が該ストッパーボタンの凹部に係合されるとともに、内筒と合鍵との切欠き部との係合が解除されて、合鍵が内筒のキー溝より抜きとれるようにしてあり、
前記内筒の押し込み時に該内筒を施錠方向へ回動することにより錠杆を突出させた施錠状態において、前記合鍵を内筒のキー溝より抜き取ることにより、内筒が前方へ移動して内筒の係合部がサムターン軸の係合凹部より係合解除されて、サムターン軸は回動できないとともに、サムターンは空転されるように構成してあることを特徴とするサムターン。
【請求項５】
ストッパーボタンには係合溝を形成するとともに、外筒のガイド穴には係止片を形成し、前記係合溝に係止片を係合し、ストッパーボタンの移動長さを規制するように構成してある請求項４に記載のサムターン。
【発明の詳細な説明】
【技術分野】
【０００１】
本発明は、不正な解錠（いわゆるサムターン回し）を防止できる室内側に設けられるサムターンに係わり、詳しく言えば、サムターンにシリンダー錠（内筒及び外筒）を取り付けて、該サムターンを空転できるようにするとともに、合鍵（キー）が不用意に抜き取られるのを防止したサムターンに関する。
【背景技術】
【０００２】
近年、扉に取り付けられた扉錠においては、扉と枠との隙間（いわゆるチリ）や、扉にあけた穴に針金や紐等の不正解錠用の道具を挿入し、この不正解錠用の道具で室内側に取り付けてあるサムターンの摘みを解錠方向に回転させ、施錠状態の錠杆を後退して不正解錠するという、いわゆるサムターン回しが知られている。
【０００３】
これの対応策として、特開２００４−１６２２９９号公報（特許文献１）に示されたサムターンが知られている。
【０００４】
上記特許文献１のサムターンは、キー溝を有する内筒と、該内筒を嵌装した外筒とからなるシリンダー錠と、前記シリンダー錠を空室内に収容したサムターンと、内筒の回動により錠杆を突出又は後退させて施錠又は解錠するように前記内筒の回動力を該錠杆に伝達するためのサムターン軸と、前記サムターンとシリンダー錠との間に、該シリンダー錠の内筒の回動により同方向に一体に回動されるピンと、このピンに片側端面が当接して同ピンの回動により前後方向に移動されるカム部材と、同カム部材に当接して前後方向に移動される平板体であって、該平板体の一部がサムターンの係合部に係合・離脱し、錠杆駆動用のサムターン軸に一体となって回動するように嵌合されているクラッチと、前記クラッチを常に前後方向に付勢する弾性部材とからなるクラッチ機構が設けられている。
【０００５】
この特許文献１のサムターンでは、非空転状態においては、内筒のピンがカム部材の底部に位置していて、該カム部材が前方に移動しており、弾性部材で付勢されたクラッチは前方へ移動して、該クラッチの係合腕がサムターンの凹部に係合している。従って、内筒を回動することによりサムターン軸を介して錠杆を出没させて施錠・解錠できる。
【０００６】
前記非空転状態において、内筒のキー溝にキーを差し込んで所定角度回動してキーを引き抜くことにより、前記内筒に設けたピンがカム部材のカム面を摺動して該カム部材が後方へ移動される。このカム部材と共に、弾性部材の付勢力に抗して前記クラッチも後方へ移動されて、該クラッチとサムターンとの係合が解除される。これによって、サムターンは空転状態となり、サムターンを回してもサムターン軸が回動操作されることなく錠杆を操作することができず、室外側からの不正な操作を防止できる。
【０００７】
すなわち、特許文献１のサムターンは、キーの抜き差し操作や回動操作によって、前述したように、内筒のピン、カム部材、クラッチ，弾性部材等のクラッチ機構などによって、非空転状態と空転状態との切り替えができるようにしたもので、空転状態時には室外からのサムターン回しという不正解錠を防止できるようにしたものである。
【０００８】
また、サムターンの非空転状態と空転状態との切り替えの判別は、内筒のキー溝が、縦であれば非空転状態であり、横であれば空転状態であると認識するものである。
【０００９】
【特許文献１】特開２００４−１６２２９９号公報
【発明の開示】
【発明が解決しようとする課題】
【００１０】
しかしながら、上記特許文献１のサムターンは、サムターンを非空転状態と空転状態とに切り替えるためのクラッチ機構が、前述したように、内筒に設けたピンとカム部材とクラッチと弾性部材などの多数の部品を必要とし、部品点数の減少化が達成できていないばかりか、各部品の構造も複雑であって組立時間も長くなり、製造コストが高価となる。また、非空転状態と空転状態との判別を内筒のキー溝の向きで認識するものであるが、内筒は小さい上に、そのキー溝も小さいため、非空転状態と空転状態との判別がし難い。さらに、非空転状態において、サムターンを操作して錠杆を突出させた施錠状態あるいは錠杆を後退させた解錠状態としても、キー溝の向きはどちらも同じ向き（縦向き）であるので、施錠或いは解錠状態を判断できないという、問題点がある。
【００１１】
本発明は、上記特許文献１の如き問題点を解決するために案出したものであり、いわゆるサムターン回しを有効に防止するのは勿論のこと、サムターンを非空転状態と空転状態とに切り替えるための構成を簡単にして、部品点数の一層の減少化を達成するとともに、組立時間の短縮化を図り製造コストを安価とし、またサムターン自体の向きにより施錠状態或いは解錠状態の判別が確実に認識でき、さらにサムターンを非空転状態と空転状態とに切り替える操作も内筒のキー溝にキーを差し込んで押すだけでよく、さらにまた合鍵が不用意に抜き取られるのを防止できるサムターンを提供することを主たる目的とする。
【課題を解決するための手段】
【００１２】
上記目的を達成するため、本発明の請求項１に記載のサムターンは、キー溝を有する内筒と、内筒を嵌装した外筒と、前記内筒と外筒とを空室内に収容したサムターンピースと、内筒の回動により錠杆を突出又は後退させて施錠又は解錠するように前記内筒の回動力を該錠杆に伝達するためのサムターン軸とを少なくとも備えてなるサムターンにおいて、前記サムターン軸の前端部には係合凹部を形成するとともに、前記内筒の後端部には上記係合凹部に係脱自在に係合される係合部を形成し、前記内筒のキー溝に合鍵を差し込んで該内筒をサムターン軸方向へ押し込むことにより、内筒が後方へ移動して内筒の係合部がサムターン軸の係合凹部に係合されて、内筒を回動することによりサムターン軸が一体に回動して錠杆を出没して施解錠され、前記内筒の押し込み時に該内筒を施錠方向へ回動することにより錠杆を突出させた施錠状態において、前記合鍵を内筒のキー溝より抜き取ることにより、内筒が前方へ移動して内筒の係合部がサムターン軸の係合凹部より係合解除されて、サムターン軸は回動できないとともに、サムターンは空転されるように構成してあることを特徴とする。
【００１３】
本発明の請求項２に記載のサムターンは、上記請求項１の構成に加えて、前記外筒の側壁には、該外筒の内筒嵌挿穴を臨み、かつその外筒の軸方向に交差するガイド溝を形成し、このガイド溝にはバネにより常時は内筒嵌挿穴方向へ付勢された位置決め部材を嵌装してあるとともに、前記合鍵には、該合鍵を内筒のキー溝に差し込んで内筒をサムターン軸方向へ押し込んだ場合に、前記位置決め部材が係合する切欠き部を形成してなるものである。
【００１４】
本発明の請求項３に記載のサムターンは、上記請求項１または２記載のサムターンにおいて、前記サムターンピースの後部には、内筒と同軸心上にサムターン軸嵌挿穴を形成したサムターンカバーを設けて、サムターンピースの空室を被覆するとともに、該サムターンカバーのサムターン軸嵌挿穴にはサムターン軸を嵌挿して同サムターン軸をサムターンカバーに連結してなるものである。
【００１５】
本発明の請求項４に記載のサムターンは、キー溝を有する内筒と、内筒を嵌装した外筒と、前記内筒と外筒とを空室内に収容したサムターンピースと、内筒の回動により錠杆を突出又は後退させて施錠又は解錠するように前記内筒の回動力を該錠杆に伝達するためのサムターン軸とを少なくとも備えてなるサムターンにおいて、前記サムターン軸の前端部には係合凹部を形成するとともに、前記内筒の後端部には上記係合凹部に係脱自在に係合される係合部を形成し、前記内筒のキー溝に合鍵を差し込んで該内筒をサムターン軸方向へ押し込むことにより、内筒が後方へ移動して内筒の係合部がサムターン軸の係合凹部に係合されて、内筒を回動することによりサムターン軸が一体に回動して錠杆を出没して施解錠され、一方、サムターンピースと外筒にはストッパーボタン嵌挿用のガイド穴を形成し、このガイド穴に前記ストッパーボタンを移動可能に嵌挿するとともに、前記ストッパーボタンの一面には凹部を形成するとともに、後部にはバネを設けて、このバネにより該ストッパーボタンは常時には前方へ突出するように付勢してあり、前記内筒と合鍵との下面にはそれぞれ切欠き部を形成してあり、合鍵の押し込みにより内筒とサムターン軸が係合されて錠杆を出没して施解錠操作可能状態時において、前記内筒の切欠き部と合鍵の切欠き部とは位置が合致して、この両切欠き部に係止部材が係合するとともに、前記ストッパーボタンは前記バネの付勢力によりサムターンの前方へ突出して、ストッパーボタンの凹部と係止部材との係合が解除されるように設けてあり、上記施解錠操作可能状態時において、前記ストッパーボタンを押すことにより、前記係止部材が該ストッパーボタンの凹部に係合されるとともに、内筒と合鍵との切欠き部との係合が解除されて、合鍵が内筒のキー溝より抜きとれるようにしてあり、前記内筒の押し込み時に該内筒を施錠方向へ回動することにより錠杆を突出させた施錠状態において、前記合鍵を内筒のキー溝より抜き取ることにより、内筒が前方へ移動して内筒の係合部がサムターン軸の係合凹部より係合解除されて、サムターン軸は回動できないとともに、サムターンは空転されるように構成してあることを特徴とする。
【００１６】
本発明の請求項５に記載のサムターンは、上記請求項４の構成において、ストッパーボタンには係合溝を形成するとともに、外筒のガイド穴には係止片を形成し、前記係合溝に係止片を係合し、ストッパーボタンの移動長さを規制するように構成してある。
【発明の効果】
【００１７】
本発明の請求項１記載のサムターンによれば、内筒と外筒とサムターンとサムターン軸とを少なくとも備えたサムターンにおいて、前記サムターン軸の前端部には係合凹部を形成するとともに、前記内筒の後端部には上記係合凹部に係脱自在に係合される係合部を形成し、前記内筒のキー溝に合鍵を差し込んで該内筒をサムターン軸方向へ押し込むことにより、内筒が後方へ移動して内筒の係合部がサムターン軸の係合凹部に係合されて、内筒を回動することによりサムターン軸が一体に回動して錠杆を出没して施解錠され、前記内筒の押し込み時に該内筒を施錠方向へ回動することにより錠杆を突出させた施錠状態において、前記合鍵を内筒のキー溝より抜き取ることにより、内筒が前方へ移動して内筒の係合部がサムターン軸の係合凹部より係合解除されて、サムターン軸は回動できないとともに、サムターンは空転されるように構成してあるから、サムターン回しという不正解錠を有効に防止するのは勿論のこと、従来例に比べ、サムターンを非空転状態と空転状態とに切り替えるための構成が簡単であり、部品点数が一層の少なくなり、組立時間の短縮化が図られ製造コストを安価にできる。しかも、サムターンを非空転状態と空転状態とに切り替える操作が、キーにより内筒を回動してピンやカム部材やクラッチなどの多数部品からなる複雑なクラッチ機構による従来例の場合に比べ、内筒のキー溝にキーを差し込んで押すだけでよいので、操作が簡単である。
【００１８】
また、本発明のサムターンは、サムターンピースで内筒と外筒とを収容するものであるため、該サムターンピースはかなり大形となる。それ故、この大形のサムターン（つまりサムターンピース）の向きを、例えば縦向きを解錠状態、横向きを施錠状態とした場合に、解錠状態と施錠状態の判別が一見しただけで確実に認識できる。すなわち、サムターン（サムターンピース）自体の向きで判断するものであるから、一目で施錠・解錠状態が認識できる。しかもサムターン（サムターンピース）が空転状態であれば、錠杆が突出して施錠状態にあることが確認できるという利点がある。
【００１９】
請求項２記載のサムターンによれば、前記外筒の側壁には、該外筒の内筒嵌挿穴を臨み、かつその外筒の軸方向に交差するガイド溝を形成し、このガイド溝にはバネにより常時は内筒嵌挿穴方向へ付勢された位置決め部材を嵌装してあるとともに、前記合鍵には、該合鍵を内筒のキー溝に差し込んで内筒をサムターン軸方向へ押し込んだ場合に、前記位置決め部材が係合する切欠き部を形成してあるため、前記合鍵を内筒のキー溝に差し込んだ場合に、位置決め部材がバネにより合鍵の切欠き部に係合するので、合鍵により内筒を回動操作する際に、該合鍵及び内筒ガ移動するのを防止し、合鍵による回動操作を円滑で確実に行うことができる。
【００２０】
請求項３記載のサムターンによれば、前記サムターンピースの後部には、内筒と同軸心上にサムターン軸嵌挿穴を形成したサムターンカバーを設けて、サムターンピースの空室を被覆するとともに、該サムターンカバーのサムターン軸嵌挿穴にはサムターン軸を嵌挿して同サムターン軸をサムターンカバーに連結してあるので、サムターンカバーが、サムターンピースの空室に内蔵された内蔵部品（内筒や外筒やタンブラーピンや位置決め部材等）を塵芥から保護するとともに、サムターン軸をサムターンピースに連結する部材を兼用することができる。
【００２１】
請求項４記載のサムターンによれば、請求項１記載の効果を有するとともに、サムターンピースと外筒にはストッパーボタン嵌挿用のガイド穴を形成し、このガイド穴に前記ストッパーボタンを移動可能に嵌挿するとともに、前記ストッパーボタンの一面には凹部をを形成するとともに、後部にはバネを設けて、このバネにより該ストッパーボタンは常時には前方へ突出するように付勢してあり、前記内筒と合鍵との下面にはそれぞれ切欠き部を形成してあり、合鍵の押し込みにより内筒とサムターン軸が係合されて錠杆を出没して施解錠操作可能状態時において、前記内筒の切欠き部と合鍵の切欠き部とは位置が合致して、この両切欠き部に係止部材が係合するとともに、前記ストッパーボタンは前記バネの付勢力によりサムターンの前方へ突出して、ストッパーボタンの凹部と係止部材との係合が解除されるように設けてあり、上記施解錠操作可能状態時において、前記ストッパーボタンを押すことにより、前記係止部材が該ストッパーボタンの凹部に係合されるとともに、内筒と合鍵との切欠き部との係合が解除されて、合鍵が内筒のキー溝より抜きとれるようにしてあるから、ストッパーボタンを押さない限り合鍵（キー）は抜け取れないので、子供などのいたずらなどで合鍵（キー）が不用意に抜き取られるのを防止することができる。
【００２２】
請求項５記載のサムターンによれば、ストッパーボタンには係合溝を形成するとともに、外筒のガイド穴には係止片を形成し、前記係合溝に係止片を係合し、ストッパーボタンの移動長さを規制するように構成してあるから、ストッパーボタンのッストローク長さが一定に規制できるとともに位置決めも確実にできる。
【実施例】
【００２３】
（実施例１）
本発明の実施例１を図１〜図１４に基づいて以下に説明する。
図１において、１は扉イに取り付けた扉錠であって、この扉錠１は、錠杆３と該錠杆３を出没するための出没操作機構（図示せず）とを内装した錠ケース２と、室外側に設けたシリンダー（図示せず）と、室内側に前記シリンダーと同軸的に設けた本発明に係るサムターン１０などからなっている。錠杆３は、前記シリンダーを合鍵により、又はサムターン１０を回動することにより、突出または後退させることで施錠又は解錠できる。
【００２４】
なお、図１で、４は錠ケース取付ねじ、５はフロント板、６はフロント裏板である。
【００２５】
前記サムターン１０は、キー溝２１を有する内筒２０と、内筒２０を嵌装した外筒３０と、前記内筒２０と外筒３０とを空室４１内に収容したサムターンピース４０と、内筒２０の回動により錠杆３を突出又は後退させて施錠又は解錠するように前記内筒２０の回動力を錠杆３に伝達するためのサムターン軸５０とを少なくとも備えている。
【００２６】
内筒２０と外筒３０とは、いわゆるシリンダー錠と同様にタンブラーピンとピンバネとを設けてある。
すなわち、内筒２０は、略四角柱状であって、その軸方向にはキー溝２１が形成されているとともに、上壁部には１個ないし複数個の下ピン穴２２…２２が前記キー溝２１を臨むように形成され、さらに該内筒２０の後端部には後述するサムターン軸５０の前端部に形成した係合凹部５１に係脱自在に係合される係合部２３が形成されている。なお、２４は下ピン、２５は係止片である。
【００２７】
前記外筒３０は、断面コ字のレール状に形成され、その軸方向に形成された内筒嵌挿穴３１に、内筒２０が前進又は後退できるように嵌装されている。そして、この外筒３０の上壁部には、前記内筒２０の下ピン孔２２…２２に対向して１個ないし複数個の上ピン孔３２…３２が穿設されており、この上ピン孔３２…３２に上ピン３３…３３とピンバネ３４…３４を嵌挿し、ピンバネ３４により常時には上下両ピン３３、２４が内筒２０のキー溝２１方向へ付勢されている。
【００２８】
また、外筒３０の側壁の一部（実施例では下壁部であるが、これに限定されない。）には、該外筒３０の内筒嵌挿穴３１を臨み、かつその外筒３０の軸方向に交差するガイド溝３５を形成し、このガイド溝３５にはバネ３６により常時は内筒嵌挿穴３１方向へ付勢されボールやピン等の位置決め部材３７を嵌装してある。
【００２９】
一方、合鍵Ｋには、該合鍵Ｋを内筒２０のキー溝２１に差し込んで内筒２０をサムターン軸５０方向へ押し込んだ場合に、前記位置決め部材３７が係合する切欠き部Ｋ１を形成してある。また、この場合、前記位置決め部材３７は、合鍵Ｋの切欠き部Ｋ１だけでなく、内筒２０の下端部に形成した切欠き部２６にも係合するようにしてある。
【００３０】
前記内筒２０を内筒嵌挿穴３１の側方入口３１ａから嵌合した外筒３０は、図６で前面と上下両面と右側面（側方入口３１ａ）とを外筒カバー６０で被覆している。この外筒カバー６０を設けることにより、ピンバネ３４やバネ３６などの組み付けがし易い利点がある。外筒カバー６０の前面には内筒２０が出没できる大きさの導通穴６１が形成されている。
【００３１】
前記サムターンピース４０は、図２〜図６に示されているように、前部を手で握り易いように略板状とするとともに、後部を断面が略楕円状の肉厚部としている。そして、このサムターンピース４０の軸方向には、前述の内筒２０と外筒３０と外筒カバー６０とを嵌装する前記空室４１が形成されており、該空室４１の前端面には前記外筒カバー６０の前端面が当接して、外筒カバー６０及び外筒３０が前方へ突出するのを規制している。また、サムターンピース４０の前端面は円弧面状に窪ませて、この円弧窪み部４２に合鍵Ｋの握持部の後端面Ｋ２が当接するようにしてある。
【００３２】
また、サムターンピース４０の後端部の外周には環状鍔部４３を形成し、この環状鍔部４３で形成された凹部４４には、サムターンカバー７０を嵌合して、該サムターンカバー７０の上下両端部をねじ７１で固定している。
【００３３】
前記サムターンカバー７０は、サムターンピース４０の空室４１を被覆するものであり、これは、図４に示されているように後方から見て外形が略楕円形状で、図２に示されているように断面が略皿状であって、軸方向には内筒２０と同軸心上に円形筒状のサムターン軸嵌挿穴７２を形成し、このサムターン軸嵌挿穴７２の前方からサムターン軸５０の後部を嵌挿して行き、その前端部を嵌合し同サムターン軸５０をサムターンカバー７０に連結している。
【００３４】
前記サムターン軸５０の前端部には縦長状の角穴からなる係合凹部５１が形成されており、この係合凹部５１に、内筒２０を摺動することにより該内筒２０の後端部に形成した係合部２３を係脱自在に係合する。
【００３５】
また、サムターン軸５０には、係合凹部５１より少し後方位置の直径線上に貫通穴５２を形成し、この貫通穴５２にコイルバネ等のバネ５３により円周方向に付勢されたクリックボール５４、５４が嵌合されている。このクリックボール５４、５４は、サムターンカバー７０の後端部に形成した内向き鍔部７３と切欠き部７４とに係合され、サムターン軸５０がサムターンカバー７０から抜けないように同サムターンカバー７０に結合してある。
【００３６】
さらに、サムターン軸５０の後端部は断面が十字状に形成してあり、この十字状部５５が錠ケース２に内蔵されているデッドハブ（図示せず）に接続してある。従って、サムターン軸５０を回動することにより、デッドハブを作動して錠杆３を突出又は後退し施錠又は解錠する。
【００３７】
前記サムターンピース４０の後端側には、図１及び図５に示すように、サムターン用のカラー８０が接続されており、このカラー８０の内部に前記サムターン軸５０を嵌挿した外胴８１を設け、該外胴８１の前面側をキャップ８２で被覆している。
なお、図１及び図５で、８３はキャップ８２と外胴体８１を結合するネジである。
【００３８】
次に、本発明の実施例１のサムターン１０の使用方法ないし動作について以下に説明する。
先ず、図８〜図１０に示すように、内筒２０の係合部２３がサムターン軸５０の係合凹部５１に係合解除されている場合に、内筒２０のキー溝２１に合鍵（キー）Ｋを差し込んだ状態では、上ピン３３と下ピン２４との境界線が内筒２０と外筒３０との境界線であるシェアラインＬと一致して、内筒２０が外筒３０の内筒嵌挿穴３１内を後方へ移動可能な状態となる。
【００３９】
そこで、合鍵Ｋを、図８の差し込み状態から、合鍵Ｋの後端面Ｋ２がサムターンピース４０の円弧窪み部４２に当接するまで押し込むと、図１１に示すように、内筒２０はサムターン軸５０方向へ移動されて、内筒２０の係合部２３がサムターン軸５０の係合凹部５１に係合される。その結果、サムターン軸５０は内筒２０と接続されるので、サムターン１０又は合鍵Ｋを時計方向又は反時計方向に回動することにより、サムターン軸５０が一体に回動して錠杆３が突出又は後退して施錠又は解錠される。この状態は操作可能な非空転状態である。
【００４０】
図１１〜図１３に示すように、合鍵Ｋをキー溝２１に押し込んでサムターン軸５０を施錠または解錠方向へ回動可能な状態において、合鍵Ｋを施錠方向に回動し、サムターン１０の向きを図７の如く横向きにすると、錠杆３はサムターン軸５０を介して突出されて施錠状態となる。この状態で合鍵Ｋを内筒２０のキー溝２１より抜き取ることにより、内筒２０が前方へ移動する。その結果、内筒２０の係合部２３がサムターン軸５０の係合凹部５１より係合解除され、内筒２０とサムターン軸５０の連係が遮断され、サムターン軸５０は回動できないとともに、サムターン１０（内筒２０、外筒３０、サムターンピース４０）は空転される。この状態が空転状態である。
この空転状態では、室外から不正解錠用の道具でサムターンを不正に回動しようとしても、サムターンが空転するので不正解錠されることがない。
【００４１】
また、図１１〜図１３に示すように、合鍵Ｋをキー溝２１に押し込んだ状態で、合鍵Ｋを解錠方向に回動し、サムターン１０の向きを図１４の如く縦向きにすると、錠杆３はサムターン軸５０を介して後退されて解錠状態となる。この状態で該合鍵Ｋを内筒２０のキー溝２１より抜き取ることにより、図２の如く、内筒２０の係合部２３がサムターン軸５０の係合凹部５１より係合解除され、サムターン軸５０は回動できず、サムターン１０は空転される。つまり、この場合は、解錠状態で空転状態である。
【００４２】
前述したように、サムターン１０の向きが、図１４の如く縦向きの場合には解錠状態であり、図１、図７の如く横向きの場合には施錠状態であることが、室内側から一見しただけで確実に判別することができる。このことは、例えば玄関の錠が施錠状態であるか否かを遠くは離れた所から確認できる利点がある。
【００４３】
図１、図７の如く施錠・空転状態のサムターンを解錠状態とするには、図１，図７の状態において、キー溝２１に合鍵Ｋを差し込んでから、押し込むことにより、内筒２０の係合部２３をサムターン軸５０の係合凹部５１に係合して、同合鍵Ｋを解錠方向に回動するとよい。
【００４４】
（実施例２）
本発明の実施例２を図１５〜図３４に基づいて以下に説明する。
この実施例２は、請求項４及び５に沿った実施例である。前記実施例１の構成では施錠状態時には合鍵（キー）が常時に抜き取り可能であるので、施錠状態時において、合鍵（キー）がいたずらなどにより不用意に抜き取られて、例えばサムターンを解錠状態に操作できないという問題点があるが、この実施例２の構成では、ストッパーボタンを押さない限り合鍵（キー）が抜き取れないようにして、上記実施例１の問題点を解消したものである。
【００４５】
この実施例２は、実施例１と、基本的にはその構成や原理や動作を共通にするが、前述した如く合鍵（キー）が不用意に抜き取られないようにした特徴部分の構成や動作については、顕著に異なる。
そこで、実施例１と共通する構成や動作等については、同実施例１の説明を参照すれば判るので、詳細な説明を省略し、実施例２の特徴部分を中心に据えて、その構成や動作等について以下に説明する。
【００４６】
すなわち、本実施例２のサムターン１０は、内筒２０と、外筒３０と、サムターンピース４０と、サムターン軸５０と、外筒カバー６０及びサムターンカバー７０とを、実施例１のものと同様に備えている。
つまり、内筒２０は、その下面に形成した切欠き部２６の形状が実施例１のものと少し異なるもののその他の構成は共通する。
【００４７】
また、外筒３０は、断面コ字のレール状に形成されて実施例１のものと略同様に形成されているが、該外筒３０の下部には軸方向にガイド穴３８を形成し、このガイド穴３８に後述するストッパーボタン９０を軸方向に移動可能に嵌挿しているとともに、ストッパーボタン９０と外筒３０下部との間で後述する係止部材１００を上下動するように案内するガイド穴３５を形成している点に特徴を有している。なお、図１６、図２０、図２１、図２４及び図３０で、３９ａは外筒３０の底板、３９ｂは外筒３０の中板で、上記底板３９ａと中板３９ｂとで前記ガイド穴３８が形成される。
【００４８】
前記内筒２０は外筒３０の内筒嵌挿穴３１の側方入口３１ａから嵌合するとともに、外筒３０のガイド穴３８にストッパーボタン９０を嵌合した状態で、前記外筒３０は前面の上部と上下両面と後面の下部とを外筒カバー６０で被覆している。
【００４９】
サムターンピース４０は、実施例１と同様に、前記内筒２０と外筒３０と外筒カバー６０とを嵌装するために形成された空室４１を有し、該空室４１の前端面には外筒カバー６０の前端面が当接して、外筒カバー６０及び外筒３０が前方へ突出するのを規制している。また、サムターンピース４０の後端部には、実施例１と同様のサムターンカバー７０を嵌合してねじ７１で固定している。
【００５０】
このサムターンピース４０の下部の軸方向には、外筒３０のガイド穴３８と連通するガイド穴４５が形成されており、このガイド穴４５にストッパーボタン９０の前部が軸方向に移動可能に嵌挿されている。
【００５１】
前記ストッパーボタン９０は、図２０に示されているように、前部９０ａが棒状で、後部９０ｂが略板状にして一体に形成されている。そして、ストッパーボタン９０の後部９０ｂの一面（上面）にはピン等の係止部材１００が係合される凹部９１を形成するとともに、後端部のバネ受部９４にはバネ９２を設けて、このバネ９２により該ストッパーボタン９０は常時には前方へ突出するように付勢してある。
【００５２】
サムターン軸５０は、実施例１のものと同一構成であり、このサムターン軸５０の前端部に形成された係合凹部５１に、内筒２０の後端部の係合部２３が係脱自在に係合され、サムターン１０とサムターン軸５０とが断接されるようになっている。
また、サムターンカバー７０も、実施例１のものと同一構成であり、これでサムターン軸５０をサムターンピース４０に連結している。
【００５３】
前記内筒２０と合鍵Ｋとの下面にはそれぞれ切欠き部２６、Ｋ１を形成してあり、図２４〜図２７に示す如く合鍵Ｋの押し込みにより内筒２０とサムターン軸５０が係合されて、サムターンピース４０の回動により合鍵Ｋを介して内筒２０とサムターン軸５０とを一体的に回動して、扉錠１の錠杆３を出没して施解錠操作が可能となる。この施解錠操作可能状態時においては、図２４に示されるように、前記内筒２０の切欠き部２６と合鍵Ｋの切欠き部Ｋ１とは位置が合致して、この両切欠き部２６、Ｋ１に、ストッパーボタン９０の凹部９１に係合されていた係止部材１００は、前記バネ９２の付勢力により前方へ突出し、凹部９１の周縁の斜面の作用により上へ押し上げられて係合するとともに、ストッパーボタン９０の凹部９１と係止部材１００との係合が解除される。
従って、この状態において、合鍵Ｋを抜き取ろうとしても、上記係止部材１００が合鍵（キー）の切欠き部Ｋ１に係合されているので抜き取ることができない。これにより、いたずら等により合鍵が不用意に抜き取られるのが防止できる。
【００５４】
上記施解錠操作可能状態時において、図３０〜図３２に示すように、前記ストッパーボタン９０を押すことにより、前記係止部材１００が該ストッパーボタン９０の凹部９１に係合されるとともに、内筒２０と合鍵Ｋとの切欠き部２６，Ｋ１との係合が解除されて、合鍵Ｋが内筒２０のキー溝２１より抜きとれるようにしてある。
【００５５】
前記内筒２０の押し込み時に該内筒２０を図２８及び図２９に示す如く施錠方向へ回動することにより錠杆を突出させた施錠状態において、前述したようにストッパーボタン９０を押してから、前記合鍵Ｋを内筒２０のキー溝２１より抜き取ることにより、図１６に示す如く内筒２０が前方へ移動して内筒の係合部２３がサムターン軸５０の係合凹部５１より係合解除されて、サムターン軸５０は回動できないとともに、サムターンピース４０は空転されるようにしてある。これにより、室外からのサムターン回しを防止することができる。
【００５６】
なお、ストッパーボタン９０の下面には係合溝９３を形成するとともに、外筒３０のガイド穴３８には係止片３８ａを形成し、前記係合溝９３に係止片３８ａを係合して、ストッパーボタン９０の移動長さ（突出寸法）を規制するように構成してある
【００５７】
上記実施例２の使用方法ないし動作については、ストッパーボタン９０の動作を除けば、概略的には、実施例１の場合と同様であるので、詳細は実施例１の説明の［００３８］〜［００４３］を参照するとよい。
【００５８】
図１５〜図１９は、図２４〜図２７の如く合鍵Ｋを内筒２０のキー溝２１に完全に押し込んで、内筒２０の係合部２３をサムターン軸５０の係合凹部５１に係合して、サムターンピース４０を図２８〜図２９の如く横向きにし錠杆を突出させた後に、該サムターンピース４０を縦向きにして合鍵Ｋを抜き取った施錠・空転状態（以下、この状態を合鍵抜き取り状態という。）を示している。この時、内筒２０は前方へ突出して係合部２３とサムターン軸５０の係合凹部５１とは係合解除されている。
【００５９】
上記合鍵抜き取り状態において、図２１〜図２３に示す如く、内筒２０のキー溝２１に合鍵Ｋを差し込むと、上ピン３３と下ピン２４との境界線が内筒２０と外筒３０との境界線であるシェアラインＬと一致して、内筒２０が外筒３０の内筒嵌挿穴３１内を後方へ移動可能な状態となる。
このとき、ストッパーボタン９０は、合鍵Ｋの切欠き部Ｋ１が外筒３０のガイド孔３５に一致していないので、係止部材１００はストッパーボタン９０の凹部９１に係合されたままであって、ストッパーボタン９０は後退（没入）したままである。
【００６０】
そこで、合鍵Ｋを、図２１の差し込み状態から、合鍵Ｋの上部の後端面Ｋ２がサムターンピース４０の上部前面４６に当接するまで押し込むと、図２４に示すように、内筒２０はサムターン軸５０方向へ移動されて、内筒２０の係合部２３がサムターン軸５０の係合凹部５１に係合される。その結果、サムターン軸５０は内筒２０と接続されるので、サムピース４０又は合鍵Ｋを時計方向又は反時計方向に回動することにより、サムターン軸５０が一体に回動して錠杆３（図１参照）が突出又は後退して施錠又は解錠される。この状態は操作可能な非空転状態であり、詳しくは図２４〜図２７に示されているようになる。
【００６１】
この非空転状態（図２４〜図２７参照）において、合鍵Ｋを施錠方向に回動し、サムターンピース４０の向きを図２８〜図２９の如く横向きにすると、錠杆３はサムターン軸５０を介して突出されて施錠状態となる。
【００６２】
上記施錠・非空転状態において、合鍵Ｋを抜き取ろうとしても、係止部材１００が合鍵（キー）の切欠き部Ｋ１に係合されているので抜き取ることができない。これにより、いたずら等により合鍵が不用意に抜き取られるのが防止できるので、サムターンの操作が安心して使用できることになる。
【００６３】
施錠・非空転状態において、図３０〜図３２に示すように、前記ストッパーボタン９０を押すことにより、前記係止部材１００が該ストッパーボタン９０の凹部９１に係合されるとともに、内筒２０と合鍵Ｋとの切欠き部２６，Ｋ１との係合が解除されるので、合鍵Ｋが内筒２０のキー溝２１より抜きとれる。
前記合鍵Ｋがキー溝２１より抜き取られると、図１６に示す如く、内筒２０が前方へ移動して内筒２０の係合部２３がサムターン軸５０の係合凹部５１より係合解除され、サムターン軸５０は回動できず、サムターンピース４０は空転される。
この状態が空転状態である。これにより、室外からのサムターン回しを防止することができる。
【００６４】
また、図２４〜図２７に示すように、合鍵Ｋをキー溝２１に押し込んだ状態で、合鍵Ｋを解錠方向に回動し、サムターンピース４０の向きを図２７の如く縦向きにすると、錠杆３はサムターン軸５０を介して後退されて解錠状態となる。この状態ではストッパーボタン９０は図２４及び図２７に示す如く突出され、係止部材１００が合鍵Ｋの切欠き部Ｋ１に係合された状態であるので、該合鍵Ｋを内筒２０のキー溝２１より抜き取ることはできないが、ストッパーボタン９０を図３０に示す如く押し込むと、前述したように係止部材１００が合鍵Ｋの切欠き部Ｋ１との係合が解除されるので、該合鍵Ｋが抜き取れる。
【００６５】
なお、この実施例２の場合も、サムターンピース４０の向きは、図２７の如く縦向きの場合には解錠状態であり、図２８、図２９、図３３及び図３４の如く横向きの場合には施錠状態であるように設けてある。
【００６６】
なお、各実施例で示した、外筒カバー６０は、本発明では必須なものではなく、サムターンピース４０の空室４１を適宜設計変更することによって、外筒カバー６０を省略することができる。
【産業上の利用可能性】
【００６７】
本発明は、建物の扉の錠前のみならず、自動車その他閉鎖体の錠前に使用されるサムターンとして適用できる。
【図面の簡単な説明】
【００６８】
【図１】本発明の実施例１に係るサムターンを扉錠に取り付けて室内側から見た施錠かつ空転状態の正面図である。
【図２】実施例１のサムターンにおいて合鍵を抜き取ってサムターンピースを縦向きとした空転状態の縦断面図である。
【図３】図２の Ａ− Ａ線断面図である。
【図４】図２のＢ−Ｂ線断面図である。
【図５】図２のＣ−Ｃ線断面図である。
【図６】実施例１のサムターンの分解斜視図である。
【図７】実施例１のサムターンを横向きとした施錠かつ空転状態の側面図である。
【図８】実施例１のサムターンが縦向きで解錠かつ空転状態において、合鍵をキー溝に差し込んだ状態の縦断面図である。
【図９】図８のＤ−Ｄ線断面図である。
【図１０】図８のＥ−Ｅ線断面図である。
【図１１】図８において合鍵をキー溝に完全に押し込んだ状態の縦断面図である。
【図１２】図１１のＦ−Ｆ線断面図である。
【図１３】図１１のＧ−Ｇ線断面図である。
【図１４】サムターンが縦向き状態の正面図である。
【図１５】本発明の実施例２に係るサムターンにおいて合鍵を抜き取った状態の斜視図である。
【図１６】実施例２のサムターンにおいて合鍵を抜き取ってサムターンピースを縦向きとした空転状態の縦断面図である。
【図１７】図１６のＪ−Ｊ線断面図である。
【図１８】図１６のＫ−Ｋ線断面図である。
【図１９】図１６のＬ−Ｌ線断面図である。
【図２０】実施例２のサムターンの分解斜視図である。
【図２１】実施例２のサムターンが縦向きで空転状態において、合鍵をキー溝に差し込んだ状態の縦断面図である。
【図２２】図２１のＭ−Ｍ線断面図である。
【図２３】図２１のＮ−Ｎ線断面図である。
【図２４】図２１において合鍵をキー溝に完全に押し込んだ状態の縦断面図である。
【図２５】図２４のＯ−Ｏ線断面図である。
【図２６】図２４のＰ−Ｐ線断面図である。
【図２７】図２４のサムターンの斜視図である。
【図２８】図２７のサムターンを横向きとした施錠かつ空転状態の正面図である。
【図２９】図２８の側面図である。
【図３０】図２４においてストッパーボタンを押した状態の縦断面図である。
【図３１】図３０のＱ−Ｑ線断面図である。
【図３２】図３０のＲ−Ｒ線断面図である。
【図３３】図２４においてサムターンを施錠状態にして合鍵を抜き取った状態の正面図である。
【図３４】図３３の側面図である。
【符号の説明】
【００６９】
１        扉錠
２        錠ケース
３        錠杆
１０      サムターン
２０      内筒
２１      キー溝
２３      係合部
２４      下ピン
２６      切欠き部
３０      外筒
３１      内筒嵌挿穴
３３      上ピン
３４      ピンバネ
３５      ガイド孔
３６      バネ
３７      位置決め部材
３８      ガイド穴
３８ａ   係止片
４０      サムターンピース
４１      空室
４５      ガイド穴
５０      サムターン軸
５１      係合凹部
５３     バネ
５４     クリックボール
６０     外筒カバー
７０     サムターンカバー
７２     サムターン軸嵌挿穴
７４     切欠き部
８０     カラー
９０      ストッパーボタン
９１      凹部
９２      バネ
９３      係合溝
１００    係止部材
Ｋ       合鍵（キー）
Ｋ１     切欠き部
【図１】
2006249898.tif 000003
【図２】
2006249898.tif 000004
【図３】
2006249898.tif 000005
【図４】
2006249898.tif 000006
【図５】
2006249898.tif 000007
【図６】
2006249898.tif 000008
【図７】
2006249898.tif 000009
【図８】
2006249898.tif 000010
【図９】
2006249898.tif 000011
【図１０】
2006249898.tif 000012
【図１１】
2006249898.tif 000013
【図１２】
2006249898.tif 000014
【図１３】
2006249898.tif 000015
【図１４】
2006249898.tif 000016
【図１５】
2006249898.tif 000017
【図１６】
2006249898.tif 000018
【図１７】
2006249898.tif 000019
【図１８】
2006249898.tif 000020
【図１９】
2006249898.tif 000021
【図２０】
2006249898.tif 000022
【図２１】
2006249898.tif 000023
【図２２】
2006249898.tif 000024
【図２３】
2006249898.tif 000025
【図２４】
2006249898.tif 000026
【図２５】
2006249898.tif 000027
【図２６】
2006249898.tif 000028
【図２７】
2006249898.tif 000029
【図２８】
2006249898.tif 000030
【図２９】
2006249898.tif 000031
【図３０】
2006249898.tif 000032
【図３１】
2006249898.tif 000033
【図３２】
2006249898.tif 000034
【図３３】
2006249898.tif 000035
【図３４】
2006249898.tif 000036